Podtech/llm-jp-corpus-v4-ja_patent huggingface dataset:
(57)【要約】      （修正有）【課題】箸箱本体と蓋が間単に開閉し、長期に亘り使用しても本体と蓋が緩まず簡単に開閉できる箸箱を提供する。【解決手段】箸箱本体と蓋に磁石を埋め込み、磁石の引き合う作用により、緩みなく本体と蓋を長期使用しても緩みなく密着させる。木材を所定の長さに切断し、且つ所定幅に切断して一対の一方向に長い長方形の板状体１ａ、１ｂを形成し、その板状体１ａ、１ｂの内面に箸４０を収納可能に刳り貫き、箸収納空間を形成し、前記板状体１ａ、１ｂをその基端部に埋め込んだ磁石５０ａ、５０ｂ並びに６０ａ、６０ｂが各々Ｓ極・Ｎ極が常に引き合い、同一極は反発しあうことにより、常に同一方向に密着し、板状体１ａ、１ｂが密着した状態に保持可能であり容易に開閉することを特徴とする。【選択図】図１
0003146493.tif 000002
【実用新案登録請求の範囲】
【請求項１】
蓋と本体に磁石を埋め込んだことを特徴とする箸箱。
【請求項２】
前記磁石は、本体と蓋にそれぞれ２個ずつ埋め込み、磁石のＳ極、Ｎ極は引き合い、同じ極どうしは反発する作用で常に同一面が密着することを特徴とする請求項１記載の箸箱。
【考案の詳細な説明】
【技術分野】
【０００１】  本考案は、木材の端材を使って製作した外観に優れ、木の持つ温もりを感じさせ安価で丈夫な木製箸箱の開閉に関するものである。
【背景技術】
【０００２】  従来、箸箱として、木製、竹製、紙製、プラスチック製、金属製各種の材料から、様々な形状に加工し、様々な塗装・模様を施したもの、更には種々の工夫を凝らしたものが工業的に製造され、市販されている。
【考案の開示】
【考案が解決しようとする課題】
【０００３】  上記従来の箸箱には、それぞれ一長一短があって、簡単に問題点を論じることは出来ないが、例えば箸箱本体に彫った溝に蓋をスライドさせて、はめ込むようにした物は箸箱本体或いは蓋に変形を生じると、蓋をはめ込む事が出来なくなる事があったり、また、箸箱本体に箱状の蓋を被せるようにした物は、蓋が外れないよう箸箱本体外面と蓋内面の隙間を小さくしてきつくすれば、着脱が困難であり、緩くすれば外れやすくなる。さらに本体と蓋をピン状の結束金物で連結し、使用時には止め具を外し、蓋を回転させて開閉する物は止め具の着脱が煩雑であり、長く使う事によりピン状の結束金物部分が緩みガタつくと言う問題点がある。いずれにしても、箸箱本体と蓋を隙間なく密着させるためには着脱が煩雑であったり、長期に亘り使用すると緩くなると言う問題点がある。
そこで、この考案は、箸箱本体と蓋が間単に開閉し、長期に亘り使用しても本体と蓋が緩まず簡単に開閉できる箸箱を提供することを課題とする。
【課題を解決するための手段】
【０００４】  以上の課題を解決するために、図面を参考にして説明する。本考案は、木材を所定の長さに切断し、且つ所定幅に切断して一対の一方向に長い長方形の板状体１ａ、１ｂを形成し、その板状体１ａ、１ｂの内面に箸４０を収納可能に刳り貫き、箸収納空間２ａ、２ｂを形成し、前記板状体１ａ、１ｂをその基端部に埋め込んだ磁石５０ａ、５０ｂ並びに６０ａ、６０ｂが各々Ｓ極・Ｎ極が常に引き合い、同一極は反発しあうことにより、常に同一方向に密着し、板状体１ａ、１ｂが密着した状態に保持可能であり容易に開閉すること特徴とする箸箱である。
【考案の効果】
【０００５】  本考案によれば、箸箱本体と蓋に磁石を埋め込む事により、箸箱本体と蓋の開閉が容易になった事と、長期間使用しても箸箱本体と蓋が緩まず、２組の磁石の作用で常に同一面がしっかり密着し、開閉が簡単で極めて便利であり、且つ、蓋と本体の木目が通り、天然素材が持つ美しさ、柔らかさ、温もり、しなやかさ、味わい等の質感に優れたものである。
【考案を実施するための最良の形態】
【０００６】  この考案の一実施形態を、図１に示す。
素材の木目を生かし、更に本体、蓋との木目が通った美しい箸箱を作るため、１ａ、１ｂは欅など、木目の美しい木材を長方形に所定の長さに切断し、且つ所定幅に縦割りしたものを板状に２分割し切削したものである。２ａ、２ｂはそのいた状態１ａ、１ｂの内面を、箸４０を収納可能に刳り貫いて形成した箱状の箸収納空間であって、本体、蓋の両方だけでなく本体だけ刳り貫いてもよい。【０００７】  ５０ａ、５０ｂ並びに６０ａ、６０ｂは、板状体１ａ、１ｂの基端部に５０ａ、６０ａを凸状で埋め込み、５０ｂ、６０ｂは凹状に埋め込むことで蓋に相当する１ａと本体に相当する１ｂがズレずに常に同一方向で密着する。なお、５０ａ、５０ｂ並びに６０ａ、６０ｂの埋め込み方法で、凹凸の組み合わせは必ずしもこれに限定されるものではない。【０００８】「実施形態の効果」
この実施形態によれば、埋め込まれた磁石のＳ極、Ｎ極の作用で常に同じ向きで蓋と本体が簡単に密着し、緩みや変形による蓋と本体が外れやすいとか蓋が出来ないとかの不具合が発生せず、開閉並びに箸４０の収納、取り出しが極めて容易であるばかりでなく、蓋と本体の木目が通り、天然素材が持つ美しさ、柔らかさ、温もり、しなやかさ、味わい等の質感に優れたものである。【０００９】「他の実施形態」
図１の実施形態では、埋め込まれた磁石により蓋と本体を密着させたが、他の実施形態では、箸箱本体に彫った溝に蓋をスライドさせて、はめ込んだり、本体と蓋をピン状の結束金物で連結し、使用時には止め具を外し、蓋を回転させて開閉するものでも良い。
【図面の簡単な説明】
【００１０】
【図１】この考案の一実施形態を示す斜視図である。
【図２】この考案の一実施形態を示す斜視図である。
【符号の説明】
【００１１】１ａ、１ｂ  板状体
２ａ、２ｂ  箸収納空間
４０  箸
５０ａ、５０ｂ  磁石
６０ａ、６０ｂ  磁石
【図１】
0003146493.tif 000003
【図２】
0003146493.tif 000004
(57)【要約】      （修正有）【課題】ジャッキベースをかがむことなく回すことができるようにしたジャッキベース回しを提供する。【解決手段】パイプの先端の外径に２本の丸棒をパイプの先端から突出させ向い合わせて固定し、２本の丸棒を取付けたパイプの反対側端部の中心に長ナットを取り付けていることを特徴とするジャッキベース回しである。従来はジャッキベースの回転部に直接手が触れなくてはいけなかったが、ジャッキベース回しをジャッキベースに差し込むという作業を行うだけで今までの立ったり座ったりという作業が無くなった。又、手で回すという作業は電動工具化とした為、整備時間は大幅に削減される。また小型化及び軽量化されているので、入り組んだ工事現場内の何処にでも持ち運び可能である。【選択図】図３
0003146495.tif 000002
【実用新案登録請求の範囲】
【請求項１】
パイプの先端の外径に２本の丸棒をパイプの先端から突出させ向い合わせて固定し、２本の丸棒を取付けたパイプの反対側端部の中心に長ナットを取り付けていることを特徴とするジャッキベース回し。
【考案の詳細な説明】
【技術分野】
【０００１】  本考案はジャッキベースの回転部分の高さ調整が短時間で処理出来るので器械化している工事現場の社会に貢献するジャッキベース回しに関するものである。
【背景技術】
【０００２】  従来は器械化しているものは無く、ジャッキベースの回転部を手作業により回転させ高さ調整を行っているが、ジャッキベース１個の整備に掛かる時間と労働力は極めて大きい。
【考案の開示】
【考案が解決しようとする課題】
【０００３】  ジャッキベースの整備を行う場合、ジャッキベースの回転部を回す時には必ずかがまなければならないので、沢山の量を整備する場合、立ったり座ったりを何度も繰り返さなければならないので大変な重労働となっている。【０００４】  さらにジャッキベース１個に掛かる整備時間は手作業なので、かなり大きい。
【課題を解決するための手段】
【０００５】  本発明は上記の課題を解決する為に、従来はジャッキベースの回転部に直接手が触れなくてはいけなかったが、ジャッキベース回しをジャッキベースに差し込むという作業を行うだけでいままでの立ったり座ったりという作業が無くなった。又、手作業であったが電動工具化とした為、整備時間は大幅に削減される。
【考案の効果】
【０００６】  本考案を使用すれば、かがまなくても立ったままで作業が出来るので立ったりかがんだりせずに済み大幅に疲労が軽減することができ、且つ電動化とし作業能率を飛躍的に向上させるものとした。
【考案を実施するための最良の形態】
【０００７】  以下本考案の形体を示す図面に基づき説明する。【０００８】図１に示すジャッキベース回しを図２に示すジャッキベース（本考案が目的とする対象物）に差し込んだのが図３である。【０００９】図３の状態で  １  長ナット部に専用ナット回しを取付けた回転ドリルを装着しドリルを回転させると  ジャッキベース回し本体を回転させる事が出来る【００１０】３  金属製丸棒がジャッキベースの回転部に掛かりジャッキベースの回転部を回転させる事が出来、高さ調整がおこなえる。
【図面の簡単な説明】
【００１１】
【図１】ジャッキベース回し正面図
【図２】ジャッキベース（本考案が目的とする対象物）
【図３】ジャッキベース回し設置正面図
【符号の説明】
【００１２】    １  長ナット
２  金属製パイプ
３  金属製丸棒
４  ジャッキベース回転体
５  ジャッキベース
【図１】
0003146495.tif 000003
【図２】
0003146495.tif 000004
【図３】
0003146495.tif 000005
(57)【要約】      （修正有）【課題】夕暮れ時、暗くなっても、球技用ボ−ルが良く見え、球技を延長して行うことが出来るようにするための球技用ボールを提供する。【解決手段】ボ−ルに自発光材を染み込ませたり、或いは、製造過程で、ボ−ル材に自発光材を混入させたり、ボ−ルに自発光材を吹き付けることで暗い場所や時間帯でも、ボールが見やすくなり球技を延長して行うことができる。【選択図】図１
0003146498.tif 000002
【実用新案登録請求の範囲】
【請求項１】
自発光材を染み込ませたことを特徴とする球技用ボ−ル。
【請求項２】
自発光材を含む材料からつくられたことを特徴とする球技用ボ−ル。
【請求項３】
自発光材を表面に吹き付けたことを特徴とする球技用ボ−ル。
【考案の詳細な説明】
【技術分野】
【０００１】本考案は、自発光材を含む球技用ボ−ルに関するものである。
【背景技術】
【０００２】夕暮れ時になると、暗くなって、ボ−ルが見にくくなり、球技がやりにくくなり、球技を延長して行えなかった。
【考案の開示】
【考案が解決しょうとする課題】
【０００３】夕暮れ時、暗くなってボ−ルが見にくくなるが、自発光材によりボ−ルを見やすくする。
【課題を解決するための手段】
【０００４】球技用ボ−ルに発光材を染み込ませたり、或いは、製造過程でボ−ル材に自発光材を混入させたり、ボ−ルに発光材を吹き付ける。
【考案の効果】
【０００５】薄暗い所、場所・時間帯でも、ボ−ルが見やすくなるので球技を延長することが出来る。
【考案を実施するための最良の形態】
【０００６】ボ−ルに含む自発光材が、暗くなるに従って、自発光してボ−ルが見やすくなる。  球技用ボ−ルに自発光材を染み込ませたり、或いは、製造過程で、ボ−ル材に自発光材を混入させたり、ボ−ルに自発光材を吹き付ける。
本明細書において、「ボ−ル」には、テニスボ−ル、サッカ−ボ−ル、バスケットボ−ル、卓球ボ−ル等の各種球技用ボ−ルが含まれるものとする。
【産業上の利用可能性】
【０００７】本考案は、球技用ボ−ルを製造・販売する産業分野において利用することが出来る。
【図面の簡単な説明】
【０００８】
【図１】本考案を実施したテニスボ−ル１を示す。表面には自発光材が混入されている。尚、自発光材には、蓄光顔料等を含む。
【符号の説明】
【０００９】１  テニスボ−ル
【図１】
0003146498.tif 000003
(57)【要約】      （修正有）【課題】油温計を、鍋やフライパンの最適な位置に容易に装着するための、油温計の固定具を提供する。【解決手段】鍋やフライパンの底に置くことにより装着し、持ち上げることで離脱する方式の油温計の固定具１１であり、材質は高温でも変化しない金属製で、鍋やフライパンの底に置いた際に倒れないための平らな底面１２と、揺れても倒れにくい重量と、鍋やフライパンの底に吸着する磁力を有することで、常に、油温計の計測部１４が鍋やフライパンの底から一定位置に固定され、油温計を狙った位置に固定するための調整を行う必要は全く無く、鍋やフライパンが高温になっても、鍋やフライパンに触れずに、油面から離れた位置にある油温計の表示部１３を持つことで容易に着脱できるように構成する。【選択図】図１
0003146494.tif 000002
【実用新案登録請求の範囲】
【請求項１】
油温計を鍋やフライパンに装着するための固定具であり、鍋やフライパンの底に置くことにより装着し、持ち上げることで離脱する方式であって、鍋やフライパンの底に置いた際に倒れないための平らな底面を持ち、油に沈めて倒れにくく高温でも変化しない比重５以上の金属製であり、油温計の計測部が固定具を貫通するかまたは固定具に接着する方法により油温計が固定具に装着されることを特徴とする油温計の固定具。
【請求項２】
固定具の底部に磁石を埋め込むか固定具そのものを帯磁させることで、磁力により油温計の固定具が鍋やフライパンの底に吸着し、固定具を鍋やフライパンの底に安定的に固定できることを特徴とする請求項１に記載の油温計の固定具。
【考案の詳細な説明】
【技術分野】
【０００１】  本考案は、油温計を、鍋やフライパンの最適な位置に容易に装着するための、固定具に関するものである。
【背景技術】
【０００２】  従来の油温計の固定具は、油温計を保持した固定具を、鍋やフライパンの縁に挟むことで装着する構成であった。
【考案の開示】
【考案が解決しようとする課題】
【０００３】  しかしながら、かかる従来の油温計の固定具は、鍋やフライパンの種類によって縁の形状や底までの距離が異なるため、油温計を狙った位置に固定するように調整して鍋やフライパンの縁に挟むのは手間がかかり、さらに鍋やフライパンが高熱になっている状態では、鍋やフライパンの縁に触れることができないため、着脱が困難であるという不具合がある。【０００４】  この考案の課題は、これらの不具合を解消することである。
【課題を解決するための手段】
【０００５】  前記課題を解決するために、本発明の油温計の固定具は、鍋やフライパンの底に置くことにより装着し、持ち上げることで離脱する方式とし、鍋やフライパンの底に置いた際に倒れないための平らな底面を持ち、油に沈めて倒れにくく高温でも変化しない比重５以上の金属製であり、鍋やフライパンの底に吸着する磁力を有し、油温計の計測部が固定具を貫通するかまたは固定具に接着する方法により油温計が固定具に装着される構成とする。
【考案の効果】
【０００６】  この構成の固定具により、油温計の計測部は常に鍋やフライパンの底から一定位置に固定されるため、従来のように油温計の位置を調整する必要は無く、また、鍋やフライパンが高温になっても、鍋やフライパンに触れることなく、油面から離れた位置にある油温計の表示部を持つことで容易に着脱できる。
【考案を実施するための最良の形態】
【０００７】  以下、考案を実施するための形態を説明する。【０００８】  図１はこの考案における油温計の固定具の斜視図である。固定具１１は、材質は高温でも変化しない金属製であり、揺れても倒れにくい重量を有しており、固定具の底部１２は、鍋やフライパンの底に置いた際に倒れないための平らな底面と、鍋やフライパンの底に吸着する磁力を有しており、油温計の計測部１４が固定具１１を貫通する方法により油温計は固定具１１に装着されている。【０００９】  図２は、油温計の固定具の実施形態を示す図である。固定具１１は鍋またはフライパンの底１６に置くことで装着されるため、常に、油温計の計測部１４が鍋やフライパンの底１６から一定位置に固定することができ、鍋やフライパンが高温になっても、油面１７から離れた位置にある油温計の表示部１３を持つことで鍋やフライパンの縁１５に触れずに、容易に着脱できる。
【産業上の利用可能性】
【００１０】  このように、この考案に係る油温計の固定具は、固定具が鍋やフライパンの底に装着されるため、常に、油温計の計測部が鍋やフライパンの底から一定位置に固定され、従来のように油温計を狙った位置に固定するための調整を行う必要は全く無く、また、鍋やフライパンが高温になっても、鍋やフライパンに触れずに、油面から離れた位置にある油温計の表示部を持つことで容易に着脱できるため、有用性が高い。
【図面の簡単な説明】
【００１１】
【図１】油温計の固定具の斜視図である。
【図２】油温計の固定具の実施形態を示す図である。
【符号の説明】
【００１２】  １１  ・・・  固定具
１２  ・・・  固定具の底部
１３  ・・・  油温計の表示部
１４  ・・・  油温計の計測部
１５  ・・・  鍋またはフライパンの縁
１６  ・・・  鍋またはフライパンの底
１７  ・・・  油面
【図１】
0003146494.tif 000003
【図２】
0003146494.tif 000004
(57)【要約】      （修正有）【課題】包装袋に携帯電話を入れ、電波を完全に遮断し、外部との通信を防ぐことを目的とする包装袋を提供する。【解決手段】携帯電話の電波を遮断するアルミ箔を用いた包装袋に携帯電話を入れ、合成樹脂製の一対の嵌合凸条と嵌合凹条とを用いることにより密封性を高め、電波を完全に遮断し、外部との通信を防ぐ。携帯電話の使用が禁止されている病院内を始め、飛行機の中、コンサート会場、講演会場、精密機器製造工場、学校、試験会場等において、使用することにより、携帯電話の電源の開閉に拘らず、携帯電話の通信を完全に遮断することが可能となる。【選択図】図４
0003146497.tif 000002
【実用新案登録請求の範囲】
【請求項１】
アルミ箔のフィルムを三層使用しプラスチックフィルムと共にラミネート加工し、そのラミネートされたフィルムを用いた包装袋に合成樹脂製の一対の嵌合凸条と嵌合凹条とを用いることにより、携帯電話の通信を遮断する包装袋
【考案の詳細な説明】
【技術分野】
【０００１】  本考案は、携帯電話の通信を遮断する包装袋に関する新規技術を提供するものである。
【背景技術】
【０００２】  携帯電話は使用を制限する場所においては、電源を切ったり、マナーモードすることが一般的であるが、多数の人間が集合する場所では、電源を切り忘れたりする人は少なからずおり、完全に携帯電話の使用を制限することは困難であった。
【考案が解決しようとする課題】
【０００３】  本考案は、携帯電話の電波を遮断するアルミ箔を用いた包装袋に携帯電話を入れ、合成樹脂製の一対の嵌合凸条と嵌合凹条とを用いることにより密封性を高め、電波を完全に遮断し、外部との通信を防ぐことを目的とする包装袋を提供することを目的とする。
【課題を解決するための手段】
【０００４】  上記課題を解決するため、本考案は７ミクロン以上のアルミ箔のフィルムを三層以上使用し、プラスチックフィルムと共にラミネート加工を行い、そのラミネートされたフィルムを包装袋として使用するものである。アルミ箔が電波を遮断することは一般に知られているが、その遮断性に確実性を持たせるためアルミ箔のフィルムを三層以上使用し、かつ、袋そのものに耐久性を持たせるため、他の素材のプラスチックフィルムも合わせてラミネート加工を行い、それを包装袋に加工し携帯電話を中に入れる。そして開口部に合成樹脂製の一対の嵌合凸条と嵌合凹条とを用いることにより、完全に外部との通信を遮断することができる。また使用時にはいつでも簡単に開口部を開いて、携帯電話を出し入れすることができる。
【０００５】前記袋体１にアルミ箔と共にラミネートされる素材は、特に限定されず、たとえばポリプロピレン、低密度ポリエチレン、中密度ポリエチレン、高密度ポリエチレン、エチレン−酢酸ビニル共重合体、ナイロン、ポリエチレンテレフタレート等のプラスチックフィルムなども使用できる。なお、各素材を積層する手段についても限定はなく、例えば一般的な積層手段であるドライラミネート法や押出コーティング法などを用いればよい。
【考案の効果】
【０００６】本考案は、携帯電話の使用が禁止されている病院内を始め、飛行機の中、コンサート会場、講演会場、精密機器製造工場、学校、試験会場等において、使用することにより、携帯電話の電源の開閉に関わらず、携帯電話の通信を完全に遮断することが可能となる。
【考案を実施するための最良の形態】
【０００７】  本考案にかかる携帯電話電波遮断袋の利用実施形態の例について図に基づいて説明する。図１は本考案にかかる包装袋の平面図である。また図４のように包装袋の中に携帯電話を収納し、嵌合凸条と嵌合凹条とを用いることにより、包装袋の密封性を高めている。
【図面の簡単な説明】
【０００８】
【図１】図１は、本考案の包装袋の平面図である。
【図２】図２は、本考案の包装袋の断面図である。
【図３】図３は、本考案の包装袋に要する積層後のラミネートフィルムの断面図である。
【図４】図４は、本考案の包装袋の使用例である。
【符号の説明】
１  包装袋本体
２  ラミネートされた複合フィルム
３ａ  嵌合凹条
３ｂ  嵌合凸条
４  プラスチックフィルム
５  アルミ箔
６  プラスチックフィルム
７  アルミ箔
８  プラスチックフィルム
９  アルミ箔
１０  プラスチックフィルム
【図１】
0003146497.tif 000003
【図２】
0003146497.tif 000004
【図３】
0003146497.tif 000005
【図４】
0003146497.tif 000006
(57)【要約】      （修正有）【課題】手軽に入手可能なペットボトルを、カメラ用三脚代わりとする為のキャップを提供する。【解決手段】小さな軽量のカメラ固定用ねじ付きペットボトルキャップを提供することにより、これなら何時でも、何処にでも、簡便に持ち運びすることが出来、何処でも入手可能な飲料ペットボトルに装着すれば、即、カメラスタンドを提供できる。カメラ固定用ねじ付きペットボトルキャップは、上部にカメラ固定用のねじをそなえ、その下部分は従来のペットボトルキャップ２の形状とする。【選択図】図２
0003146492.tif 000002
【実用新案登録請求の範囲】
【請求項１】
何処にいても手軽に入手可能な飲料ペットボトルを、カメラ固定用の三脚代わりとする為の目的で、ペットボトル用キャップの上部にカメラ三脚固定用ねじを一体成型させたことを特徴とする、プラスチツク製のカメラ固定用ねじ付きペットボトルキャップ。
【請求項２】
他のペットボトル飲料との差別化を図る目的で、請求項１のカメラ固定用ねじ付きペットボトルキャップを装着したペットボトル飲料商品。
【考案の詳細な説明】
【技術分野】
【０００１】  本考案は、手軽に入手可能なペットボトルを、カメラ用三脚代わりとする為のキャップを提供する。
【背景技術】
【０００２】  近年のコンパクトデジタルカメラは、大変軽量化が進み簡便となったが、カメラ用三脚は従来通りの重厚なものが多く、もっと簡便なものが要望されている。
【考案が解決しようとする課題】
【０００３】  従来のカメラ用三脚及びカメラスタンドはいずれも持ち運びが不便で、急に欲しいときにも簡単には入手困難、手ぶれ防止や自動シャッター機能の使用がままならない為、大変不便を強いられていた。
【課題を解決するための手段】
【０００４】  そこで、何処でも簡単に入手できるペットボトル飲料に、カメラ固定用ねじを一体成型させた、キャップを装着することにより、解決できる。
【考案の効果】
【０００５】  このカメラ固定用ねじ付きペットボトルキャップは、非常に安価、軽量、そして小さく、持ち運びも大変便利で、コンパクトデジタルカメラの使用場面を拡大できる。
【考案を実施するための最良の形態】
【０００６】  本考案に係るカメラ固定用ねじ付きペットボトルキャップは、図１に示すように、上部にカメラ固定用のねじ１をそなえている。そして、その下部分は従来のペットボトルキャップ２の形状とする。
【図面の簡単な説明】
【０００７】
【図１】  本考案に係るカメラ固定用ねじ付きペットボトルキャップの断面図である。
【図２】  ペットボトルに本考案のカメラ固定用ねじ付きペットボトルキャップを装着し、それにカメラを装着した時の断面図である。
【符号の説明】
【０００８】  １    カメラ固定用ねじ部分
２    ペットボトルキャップ部分
３    ペットボトル
４    コンパクトデジタルカメラ
【図１】
0003146492.tif 000003
【図２】
0003146492.tif 000004
(57)【要約】【課題】本考案はゴルフクラブのライ角、ロフト角を、同時に簡単且つ正確に測定しデジタル表示する。【解決手段】本考案はゴルフクラブのヘッドを水平に固定し、電気式角度センサーを用いて、その角度センサーにつながる二つの角度測定板の測定面をそれぞれゴルフクラブシャフトサイドに密着させる事で簡単且つ正確にライ角、ロフト角が同時に測定でき、前記角度センサーから出力される電気信号を表示器に取り込んで角度をデジタル表示する事が出来る。【選択図】  図２
0003146420.tif 000002
【実用新案登録請求の範囲】
【請求項１】
ゴルフクラブのライ角、ロフト角の測定器において、測定器ユニット支持板上をロフト角測定用の角度測定板が回転可能に支承され、且つ当角度測定板上をライ角測定用の角度測定板が回転可能に支承されていて、各角度測定板の測定面がクラブシャフトサイドにそれぞれ密着された時、各回転中心軸に連結する電気式角度センサ−がその回転角に対応した電気信号を出力し、それを表示器が取り込んで角度として各々デジタル表示する特徴を持つゴルフクラブの角度測定器。
【考案の詳細な説明】
【技術分野】
【０００１】
本考案は、ゴルフクラブのライ角及びロフト角の測定及び表示に関するものである。
【背景技術】
【０００２】
従来、ゴルフクラブのライ角、ロフト角の測定は、ゴルフクラブ固定冶具を用いて、そのヘッドのフェース面が水平になるように固定し、そのシャフトサイドに角度目盛付きの測定板を当てて、各々角度を判読測定していた。
【考案の開示】
【考案が解決しようとする課題】
【０００３】
従来の角度目盛付きの測定板によるゴルフクラブのライ角、ロフト角の測定では、目視により概角度しか測定できないが、電気式角度センサー付の角度測定板による測定では、測定角度に対応する電気信号が出力され、それを数値化しデジタル表示する事ができ、角度をより正確に測定する事ができる。
【課題を解決するための手段】
【０００４】
本考案は、ゴルフクラブのライ角及びロフト角のより正確な角度測定を可能にするためのもので、ゴルフクラブヘッドのフェース面を水平に固定するための抑え金具を設置し、又各々の回転中心軸に電気式角度センサーを連結した角度測定板の測定面を、固定されたゴルフクラブシャフトの側面に各々密着させ、各角度に対応した電気信号を出力させて、その信号を角度としてデジタル表示させる。
【考案の効果】
【０００５】
上述のように、本考案の装置を使用して測定すればゴルフクラブシャフトのライ角、ロフト角のより正確な測定ができる。
【考案を実施するための最良の形態】
【０００６】
ゴルフクラブのヘッドのフェース面は抑え金具により水平に固定される。その水平面を規準としたゴルフクラブのライ角、ロフト角の測定には２枚の角度測定板が使用される。それらの角度測定板は回転可能に支承されていて、各回転中心には、回転軸及び回転軸と直接又は間接的に連結された電気式角度センサーがある。各回転軸は軸心が互いに直角になるように配置されているからライ角、ロフト角の各角度が測定できる。各測定板の測定面がゴルフクラブシャフトの側面に軽く密着させられた時に、電気式角度センサーから角度に応じた電気信号が出力され、それが表示器により当該角度としてデジタル表示される。
【実施例】
【０００７】
以下添付図面に従って実施例を説明する。
ゴルフクラブ１を測定器４の所定の位置に、ヘッド２のフェース面３を水平にしてヘッドの上側５又は後横側６又は両者を、空気圧駆動又は油圧駆動又は電気駆動の往復動作シリンダー７のシャフト８に直結したプッシャー９，１０で押し付け固定する。測定器4には前後移動用軸受体１１が設置され、そこを平行な２本の軸組１２が前後に正確に水平直進移動する。又、軸組１２の片方の端部には左右移動用軸受体１３が設置され、ここを平行な２本の軸組１４が左右に正確に水平直進移動する。軸組１４の両端には右測定用ユニット１５及び左測定用ユニット１６が配置されていてそれぞれ右利き用及び左利き用のゴルフクラブのライ角、ロフト角の測定に対応できる。以下右利き用の測定について説明する。
【０００８】
右測定用ユニット１５ではユニット支持板１７が軸組１４に固定されている。当支持板には軸受１８が配置され当軸受の回転軸１９の片方の端部にはロフト角測定板２０が設置される。ユニット支持板１７を挟んだもう一方の端部にはロフト角用電気式角度センサー２１が軸１９に対して直接的又は間接的に連結されている。ロフト角測定板２０はユニット支持板１７の表面上を回転可能に支承されている。ロフト角測定板２０には軸受２２が設置され当軸受の回転軸２３の片方の端部にはライ角測定板２４が固定されている。ロフト角測定板２０を挟んだもう一方の端部にはライ角用電気式角度センサー２５が軸２３に対して直接的又は間接的に連結されていて、ライ角測定板２４はロフト角測定板２０の表面上を回転可能に支承される。従って回転軸１９と２３はその軸中心は９０度交差する事となる。
【０００９】
測定はロフト角測定板２０、ライ角測定板２４の各測定面２６，２７がゴルフクラブのシャフトサイドに軽く密着する迄測定用ユニットを前後左右に移動させて行う。各測定板の測定面がシャフトサイドに密着した時、電気式角度センサー２１，２５により、その回転角に応じた電気信号が出力される。その電気信号を表示器２８がデジタル化して各角度として表示すれば、簡単且つ正確に角度が測定できる。左利き用の測定用ユニット１６に関しては右利き用の測定ユニット１５と構成は同一であり使い勝手のみ反対となるため測定方法は右勝手用と同様である。従って右勝手用、左勝手用のゴルフクラブに対して一台の測定器４で角度が測定できる。
【図面の簡単な説明】
【００１０】
【図１】アイアンタイプのゴルフクラブ
【図２】本装置の立体構成図
【符号の説明】
【００１１】
1  ゴルフクラブ
2  ヘッド
3  フェース面
4  測定器
5  ヘッドの上側
6  ヘッドの後横側
7  往復動作シリンダー
8     シャフト
9     プッシャー
10    プッシャー
11    前後移動用軸受体
12    軸組
13    左右移動用軸受体
14    軸組
15    右測定用ユニット
16    左測定用ユニット
17    ユニット支持板
18    軸受
19    回転軸
20    ロフト角測定板
21    ロフト角用電気式角度センサー
22    軸受
23    回転軸
24    ライ角測定板
25    ライ角用電気式角度センサー
26    ロフト角測定板の測定面
27    ライ角測定板の測定面
28    表示器
【図１】
0003146420.tif 000003
【図２】
0003146420.tif 000004
(57)【要約】      （修正有） 【課題】長期間点検・検査に使用しても、高い異音の捕捉性能を維持することができ、安全性にも優れる聴音棒を提供する。【解決手段】設備や機械の被測定部位に先端部１４のキャップを接触させて異音の有無を測定する聴音棒で、その先端部１４のキャップにより接触による怪我がなく、また被測定部位１０が金属性の場合は、先端部１４のキャップをはずし、磁石により密着性を高める。さらに先端部１４からの良好な伝達のために接触面を滑らかにすることを解決手段とする。【選択図】図５
0003146419.tif 000002
【実用新案登録請求の範囲】
【請求項１】
運転中の設備や機械の被測定部位10に伸縮可能な操作棒11の先端部14を接触させて異音の有無を点検・検査する聴音棒であり、先端部14の接触面は滑らかであることを特徴とする聴音棒。
【請求項２】
伸縮可能な操作棒11の先端部14のキャップ15を外すとその内部に磁石16を有する請求項1に記載の聴音棒。
【請求項３】
伸縮可能な操作棒11の先端部14にフック取付け金具18を介しフック17を有する請求項1に記載の聴音棒。
【考案の詳細な説明】
【技術分野】
【０００１】
本考案は聴音棒の改良に関する。
【背景技術】
【０００２】
火力発電所等の巨大発電施設、船舶の機関室内でポンプ、電動機、ボイラ、主機関、発電機等の多数の設備が設置され、稼動している。（特許文献1参照）。
【０００３】
このような設備や機械のトラブルを未然防止のために定期的に巡回点検が行われており、その際、設備や機械等から発生する金属接触の異音の有無を測定すべく聴音棒が用いられ、測定の際には、設備や機械等の被測定部位10に先端部14のカキャップ15を接触させ、他方の端部に測定者のための耳当て部13に使用される。
【０００４】
この聴音棒は、被測定部位10との接触を高めるべく、先端部14の先端面を滑らかに形成されているため長期の使用に際しても、異音の捕捉性能低下がなく、また先端部14の接触による怪我がない。       
【特許文献１】特開  2006-38735号公報
【考案の開示】
【考案が解決しようとする課題】
【０００５】
本考案は、上述した問題の点検・検査を長期間使用しても、異音の捕捉性能低下が起こらないし、安全性と密着性にも優れる聴音棒を提供します。
【０００６】
狭い隙間や手の届かない所に落下した金物等を磁石による回収や布物の場合はフックによる回収も兼ね備えた聴音棒を提供します。
【課題を解決するための手段】
【０００７】
本考案の聴音棒は、設備や機械の被測定部位10に先端部14のキャップ15を接触させて異音の有無を測定する聴音棒であって、被測定部位10との接触性を高めように滑らかに形成されていることを特徴とする。さらに先端部14のキャップ15が滑らかなため接触しても怪我がない。
【０００８】
先端部14のキャップ15をはずせば、その内部に磁石16があり、被測定部位が金属性の場合は磁石16による密着性がよい。
【０００９】
操作棒11は、その軸方向に伸縮自在に構成されており、把持部11aから反対端に向けて暫次径が太くなるパイプ11a〜11dを入れ子状に連結したもので、パイプ11a内に11bが、パイプ11b内に11cが、パイプ11c内に11dが、パイプ11d内に12が、それぞれ収納自在となるように構成している。大径のパイプから小径のパイプを引き出すことが出来るとともに、一定長さ引き出したときに抜け出ることなく、その位置止まるように形成されている。
操作棒11は軽金属製のパイプを用い、その全長が0.5〜2ｍ程度の範囲で伸縮自在になっている。
【００１０】
操作棒グリップ12の終端部は樹脂製で安全性と密着性の優れた耳当て部13を取り付けている。
【００１１】
狭い隙間や手の届かない所に落下した金物等を磁石による回収や布物の場合はフックによる回収を兼ね備えた聴音棒を提供します。
【考案の効果】
【００１２】
本考案の聴音棒は長期の使用でも高い異音捕捉性能を確保することができ、安全性と密着性にもすぐれたものである。また狭い隙間や手の届かない所に金物等を落下したときは磁石による回収や布物の場合はフックによる回収を兼ね備えた聴音棒を提供します。
【考案を実施するための最良の形態】
【００１３】
以下、本考案の実施例について、図面を参照しながら説明します。
【実施例１】
【００１４】
実施例1の聴音棒は、図1に示すように、伸縮可能な操作棒11と、その操作棒11の先に聴音測定の先端部14と逆の端部に受音のための耳当て部13で構成される。
【００１５】
操作棒11は、その軸方向に伸縮自在に構成されており、把持部11aから先端に向けて暫次径が太くなるパイプ11a〜11dを入れ子状に連結したもので、パイプ11a内に11bが、パイプ11b内に11cが、パイプ11c内に11dが、パイプ11d内に12が、それぞれ収納自在となるように構成している。大径のパイプから小径のパイプを引き出すことが出来るとともに、一定長さ引き出したときに抜け出すことなく、その位置止まるように形成されている。操作棒11は軽金属製を用い、その全長が0.5〜2ｍ程度の範囲で伸縮自在になっている。
【００１６】
図2〜図3に示すように、操作棒11aの先端部14のキャップ15をはずすとその内部に磁石16があり、被測定部位が金属性の場合は磁石16による密着性がよく、さらに狭い隙間や手の届かない所に落下した金物等を磁石により回収も兼ね備えている。
【００１７】
図4に示すように、操作棒11aの先端部14との間にフック取付け金物18を介してフック17を取付ける。これは狭い隙間や手の届かない所に落下した布物等をフックにより回収も兼ね備えている。
【実施例２】
【００１８】
図5は実施例として被測定部位を送風機架台とし、送風機10の運転に異音の有無を計測するため、先端部14を介し耳当て部13で計測する。
【産業上の利用可能性】
【００１９】
本考案の聴音棒は、巨大発電施設、船舶の機関室内のポンプ、電動機、ボイラ、主機関、発電機等の多数の設備が設置され、稼動している状態のトラブルを未然防止のために定期的に巡回点検が行われており、その際、設備や機械等から発生する異音の有無を測定すべく金属からなる聴音棒が用いる。測定の際には、設備や機械等の被測定部位10に先端部14のキャップ15を接触させ、他方の先端部に測定者のために耳当て部13を使用される。
【図面の簡単な説明】
【００２０】
【図１】実施例1の聴音棒の構成図。
【図２】操作棒と先端部の構成図。
【図３】先端部のキャップをはずし、内部の磁石の構成図。
【図４】操作棒に取付けたフックの構成図
【図５】実施例2の聴音棒による異音測定の構成図
【符号の説明】
【００２１】
10    被測定部位（送風機）
12    操作棒のグリップ
11a〜11d  操作棒
11    操作棒
13    耳当て部
14    先端部
15    キャップ
16    磁石
17    フック
18    フック取付け金具
【図１】
0003146419.tif 000003
【図２】
0003146419.tif 000004
【図３】
0003146419.tif 000005
【図４】
0003146419.tif 000006
【図５】
0003146419.tif 000007
(57)【要約】      （修正有） 【課題】見えにくい物の裏側や暗い場所、運転中の機械の裏側や暗い場所、見えにくく、点検・検査のしづらい場所、危険性のある場所等の点検・検査作業が容易にできる点検用具を提供する。【解決手段】操作棒１１から１２に点検鏡１４の向きの回転調整できる接続金具１３と操作棒１２の回転調整ができる接続金具１３の間を移動ができる照明器具（ＬＥＤライト）１５からなり、光源（ＬＥＤライト）１５位置の調整は被点検物と点検鏡の映像で調整する。光源（ＬＥＤライト）１５の電源スイッチは本体付属のスイッチで行う。【選択図】図１
0003146418.tif 000002
【実用新案登録請求の範囲】
【請求項１】
伸縮可能な操作棒11とこの操作棒11に向きの回転調整できる接続金具13を介し、その先端に取り付けた点検鏡14で被点検物の点検・検査をする点検用具。
【請求項２】
前記点検・検査を行うには狭いルートを通り、狭い空間、暗い場所、運転中の危険性のある裏側、倒壊した建物の建材の裏側や下部等の点検・検査を容易にし、幅広い作業性を特徴とする請求項1の点検用具。
【請求項３】
暗い場所や運転中の危険性のある裏側の暗い場所の点検・検査をするための光源を点検鏡とグリップの間の操作棒に取り付ける請求項1記載の点検用具。
【考案の詳細な説明】
【技術分野】
【０００１】
本考案は棒付点検鏡の改良に関する。
【背景技術】
【０００２】
従来の下水管点検などに利用する点検用具として、伸縮可能な操作棒と、操作棒の先端に鏡面の向きが調整可能に取り付けられた鏡部とからなる検査鏡が知られている。
工事完了検査時の見え難い裏側、配管の内部、天井裏の暗い場所での点検・検査作業が容易に行える検査鏡である。（特許文献1参照）。
下水管点検の用具として、伸縮可能な操作棒と、操作棒の先端に鏡面の向きが調整可能に取り付けられた平面鏡と拡大鏡を使い分けできる（特許文献2参照）。
排水管内は太陽光などが入射しないため暗く、この排水管内を点検する時、光源を排水管内に挿入する必要があり、点検時に手間がかかる（特許文献3参照）。
被点検物の排水管が円形のため、円形鏡の方が管側近くまで有効に点検ができる（特許文献4参照）。
【特許文献１】実登  3044921 号公報
【特許文献２】実登  314387  号公報
【特許文献３】特開  平9-100567 号公報
【特許文献４】特開  2001-201695号公報
【考案の開示】
【考案が解決しようとする課題】
【０００３】
従来の点検鏡は操作棒の先端に鏡部をヒンジなどで接続されている。また操作棒の接続はネジ付継ぎ手金具等複雑な構造で、操作棒の長さ調整や照明器具の位置、角度の調整が煩雑で煩わしい。
【課題を解決するための手段】
【０００４】
従来の点検鏡と比べて、構造が簡単、軽量、持ち運びと収納が容易、取り扱い等点検・検査時の操作、調整を簡単で迅速に行える点検用具を提供するものである。
照明器具15の映像が点検鏡に反射し、点検鏡の大きさは点検・検査の被検査体が見やすく、点検・検査時は狭いルートを通り、狭い空間、運転中の機械の危険な場所や機械の裏側の暗い場所、倒壊した建物の建材の裏側等での点検・検査を容易にし、幅広い作業性を特徴とする点検用具を提供する。
【０００５】
危険で困難な場所の点検・検査の目的を達成するため、本考案の点検用具は、伸縮可能な操作棒とこの操作棒の先端に取り付けられた向きや調整可能の点検鏡と点検鏡と操作棒は接続金具を介し、操作棒とその先端に取り付けられた点検鏡で構成される。
操作棒は、電気関連以外は軽金属で制作され、軽く耐久性に優れている。また、操作棒は伸縮自在に作られ、離脱すること無く、被点検部の位置あわせや調整が容易にできるため作業性に優れている。従来のようにパイプは継ぎ手を使用するため重く、操作性に欠ける。また電気関係の場合は操作棒、継ぎ金具、鏡部とグリップは絶縁性のある材料で構成する。
【０００６】
点検鏡の近くで操作棒の軸に直角に照明器具（LEDライト）を取り付ける。照明器具（LEDライト）の取り付け位置は好適、容易に調整が可能である。
【考案の効果】
【０００７】
本考案の点検鏡は見えにくい物の裏側や暗い場所、運転中の機械の裏側や暗い場所及び機械運転中の危険性のある場所等の点検・検査作業に適している。
【考案を実施するための最良の形態】
【０００８】
以下、本考案の実施例について、図面を参照しながら説明していく。
【実施例１】
【０００９】
実施例1の点検鏡は、図1に示すように、伸縮可能な操作棒11と、その操作棒11の先端に点検鏡の向きが調整可能な接続金具13を介し、その先に取り付けられた点検鏡14で構成される。点検鏡14には回転金具があり、接続金具13を介し、点検鏡14は操作棒11の先端に取り付けられている。
【００１０】
操作棒11は、その軸方向に伸縮自在で、把持部11aから先端に向けて暫次径が小となるパイプ11b〜11dを入れ子状に連結したもので、パイプ11b内に11cが、パイプ11c内に11dが、パイプ11d内に12が、それぞれ収納自在となるように構成している。大径のパイプから小径のパイプを引き出すことが出来るとともに、一定長さ引き出したときに抜け出すことなく、その位置で止まるように形成されている。
操作棒11は、用途により軽金属製やグラスファイバー製のパイプを用い、その全長が0.5〜2ｍ程度の範囲で伸縮自在になっている。
【００１１】
図2に示すように、操作棒12と点検鏡14の接続金具13を回転軸として回転自在になるように、接続金具13は締め付けボルト・ナットで取り付けられている。
【００１２】
操作棒12には光源（LEDライト）15が取り付けられ、操作棒12内が光源（LEDライト）15の移動範囲であり、回転は光源も操作棒12の両方できる。光源（LEDライト）15位置の調整は被点検物と点検鏡の映像で調整する。光源（LEDライト）15の電源スイッチは本体付属のスイッチで行う。
【実施例２】
【００１３】
図3は実施例として送風機底部を光源（LEDライト）15で周囲を明るくし、点検鏡は被検査物の検査・点検に使用し、安全、容易、迅速、簡単に行える。
【産業上の利用可能性】
【００１４】
本考案の点検用具は、建築工事・土木工事・建築設備工事・電気工事・機械器具・運転中の機械等の検査・点検用以外に、倒壊した建物の建材の裏側や一般家庭で直接目視が困難な場所、危険な場所に利用できる。
【図面の簡単な説明】
【００１５】
【図１】本考案の実施の形態に係る照明器具付点検用具を示す側面図である。
【図２】照明器具付点検鏡とその向きの回転調整できる接続金具13の正面図である。
【図３】照明器具付点検鏡を用いて送風機底の点検・検査作業を示す説明図です。
【符号の説明】
【００１６】
10        被点検物（送風機の底）
11a       操作棒のグリップ
11b〜d    操作棒の先端と接続部
11        操作棒
13        点検鏡と操作棒の向きの回転調整できる接続金具
14        点検鏡
15        照明器具（LEDライト）
【図１】
0003146418.tif 000003
【図２】
0003146418.tif 000004
【図３】
0003146418.tif 000005
(57)【要約】      （修正有）【課題】鍋底があまり変形しないと共に、磁気伝導板が鍋本体の底とより堅く結ばれる磁気伝導鍋を提供する。【解決手段】鍋本体１と鍋底にある磁気伝導板からなっている。その特徴は下記の通りである。つまり、鍋底にはプレフォームされた円台とそれと同円心になっている円形溝があり、上記円台と合う磁気伝導板にはフランジ９がプレフォームされている。上記円形溝とフランジ９と合う凹部がプレフォームされているアルミ製板１０を、パンチの加工方法により、磁気伝導板が円形溝に嵌まるように、更にフランジ９がアルミ製板１０を貫いて一体となるように工夫している。磁気伝導板にプレフォームされたフランジ９とアルミ製板１０の凹部とお互いに合っていて、パンチされたらフランジ９がアルミ製板１０を貫いてそれと一体となり、アルミ製板１０の側壁が円形溝とぴったりと合っている。磁気伝導板と鍋底はより堅く結ばれて、磁気伝導効果も良い。【選択図】図２
0003146405.tif 000002
【実用新案登録請求の範囲】
【請求項１】
鍋本体（１）と該鍋本体の鍋底にある磁気伝導板（２）とを有する複合型磁気伝導鍋であって、鍋本体の底にはプレフォームされた円台（３）とそれと同円心になっている円形溝（４）を有し、前記円台（３）と嵌合する磁気伝導板（２）にはフランジ（９）がプレフォームされ、前記円形溝（４）とフランジ（９）と嵌合する凹部がプレフォームされているアルミ製板（１０）は、パンチ加工方法により、磁気伝導板（２）が円形溝（４）に嵌まるように加工し、更に上記フランジ（９）がアルミ製板（１０）を貫いて一体となって前記円形溝（４）に嵌まるようになっていることを特徴とする複合型磁気伝導鍋。
【請求項２】
前記フランジ（９）は、前記磁気伝導板（２）にプレパンチされている円形フランジ付き穴（６）、バー形フランジ付き穴（７）及び三角形フランジ付き穴（８）のフランジを意味し、前記全ての穴のフランジの方向が同じであり、前記フランジ付き穴（６、７、８）は磁気伝導板を貫いている貫通穴である請求項１記載の複合型磁気伝導鍋。
【請求項３】
前記円形になっている磁気伝導板（２）の外径は、前記円形溝（４）の外径よりやや短く、その厚さは前記円形溝（４）の深さより少し大きい請求項１記載の複合型磁気伝導鍋。
【請求項４】
前記円形アルミ製板（１０）の一つの片面は平らな表面であり、もう一つの片面には円形凹部（１１）、バー形凹部、即ちバー形溝部（１２）と三角形凹部（１３）が形成され、前記円形アルミ製板（１０）の外径は前記円形溝（４）の外径より少し長く、一緒にプレスされると、円形アルミ製板（１０）は鍋底に堅く貼り付けられる請求項１記載の複合型磁気伝導鍋。
【請求項５】
前記フランジ（９）と前記円形アルミ製板（１０）が更に一体化するように、プレスされた鍋底をフライス盤などで平らな表面に仕上げる請求項１〜４のいずれかに記載の複合型磁気伝導鍋。
【考案の詳細な説明】
【技術分野】
【０００１】
本実用新案は一種の複合型鍋に係り、特に電磁調理機器に使われる複合型磁気伝導鍋に関する。
【背景技術】
【０００２】
文献番号CN2792370Yの実用新案特許は一種のアルミ製鍋の複合型鍋底を公開した。アルミ製鍋底に鋼板を固定している。アルミ製鍋底には多数の突起部がプレフォームされている。鋼板の表面をパンチすることによって、上記突起部のそれぞれと合う多数のフランジの付いている穴が形成され、鋼板のフランジ付き穴が鍋底の突起部とぴったり合っている。更にフランジ付き穴の外周フランジがアルミ製鍋底の中に差し込まれる。そして突起部が変形してフランジの下部の面を覆うように、鋼板をアルミ製鍋底に貼り付けている。これは、高温状態で長時間利用すると、鋼板がアルミ製鍋底から落ちやすいからである。
【考案の開示】
【考案が解決しようとする課題】
【０００３】
本実用新案は、上記複合型鍋底に存在する問題に対して、鍋底が磁気伝導板と一体となり、より堅く結ばれる複合型磁気伝導鍋を開発することを目的とする。
【課題を解決するための手段】
【０００４】
本考案は、鍋本体と鍋底にある磁気伝導板からなっている一種の複合型磁気伝導鍋である。その特徴は下記とおりである。つまり、鍋底にはプレフォームされた円台とそれと同円心になっている円形溝があり、上記円台と嵌合する磁気伝導板にはフランジがプレフォームされている。上記円形溝とフランジと嵌合する凹部がプレフォームされているアルミ製板を、プレス加工方法により、磁気伝導板が円形溝に嵌まるように、更に上記フランジがアルミ製板を貫いて一体となるように工夫している。
【考案の効果】
【０００５】
従来の技術と比べると、本実用新案の有用な効果は下記の通りである。つまり、磁気伝導板にプレフォームされたフランジとアルミ製板の凹部とお互いに嵌合していて、プレスされたらフランジがアルミ製板を貫いてそれと一体となり、アルミ製板の側壁が円形溝とぴったりと合っている。磁気伝導板と鍋底はより堅く結ばれて、磁気伝導効果も良い。
【考案を実施するための最良の形態】
【０００６】
図１及び図２に示すように、複合型磁気伝導鍋は、アルミ製鍋本体１と鍋底にある磁気伝導板２からなっている。図３に示すように、鍋底には一つの円台３とそれと同円心になっている円形溝４がプレフォームされている。円台３の円心は普通鍋底の中心と一致している。
図４に示すように、磁気伝導発熱材料（例えば鋼板かステンレスアイロン）で作られた磁気伝導板２には、円形フランジ付き穴６、バー形フランジ付き穴７と三角形フランジ付き穴８が形成され、穴６、７、８は普通磁気伝導板を貫いている貫通穴であり、全ての穴に方向が同じのフランジ９が形成されている。同フランジ９は普通プレス加工でプレフォームされている。通常円形になっている磁気伝導板２の外径は円形溝４の外径よりやや短く、円形フランジ付き穴６は円台３と噛み合っている。磁気伝導板２の厚さは円形溝４の深さより少し大きい。
【０００７】
図５に示すように、円形アルミ製板１０の一つの片面は平らな面となり、もう一つの片面には円形凹部１１、バー形凹部、即ちバー形溝部１２と三角形凹部１３が形成されている。円形アルミ製板１０の外径は円形溝４の外径より少し長い。プレスされると、円形アルミ製板１０は鍋底に堅く貼り付けられる。円形アルミ製板１０が磁気伝導板２より柔らかいから、プレスされた後、円形溝４にある磁気伝導板２のフランジ９が全て円形アルミ製板１０を貫いている。すると磁気伝導板２と円形アルミ製板１０は一体となり、鍋底が磁気を伝導できるようになっている。
効率を一層良くするために、フランジ９と円形アルミ製板１０が更に一体化するように、プレスされた鍋底をフライス盤などで平らな面に仕上げている。
【図面の簡単な説明】
【０００８】
【図１】本実用新案の斜視図である。
【図２】本実用新案の底部斜視図である。
【図３】本実用新案の鍋本体の底部斜視図である。
【図４】磁気伝導板の平面図である。
【図５】アルミ製板の平面図である。
【図１】
0003146405.tif 000003
【図２】
0003146405.tif 000004
【図３】
0003146405.tif 000005
【図４】
0003146405.tif 000006
【図５】
0003146405.tif 000007
(57)【要約】      （修正有）【課題】いつでも何処でも簡単に装着が可能なかつらを提供する。【解決手段】アイシエード（ｅｙｅｓｈａｄｅ）の鉢巻部分の内側に、かつら部分の植毛ネットを装着、合体したものである。帽子感覚で装着可能な為、使用時の秘匿感が希薄となり、限られた場所のみの装脱着からの不便さからも解放される。かつらの認識よりも、帽子として肯定しうる要素が大なる為、薄毛、禿など気になる人々には福音であり、簡便に使用できる。【選択図】図２
0003146479.tif 000002
【実用新案登録請求の範囲】
【請求項１】
本考案は、かつらとアイシエード（ｅｙｅｓｈａｄｅ）を合体したものである。
【請求項２】
ヘッドバンド（ｈｅａｄｂａｎｄ）にかつらを装着合体したものである。
【考案の詳細な説明】
【技術分野】
【０００１】本考案は、アイシエードの鉢巻部分の内側にかつらを装着し、合体したものである。
【背景技術】
【０００２】従来は、帽子とかつらの兼ねるものはなかった。本考案は、いつでも何処でも簡単に装着が可能である。
【考案の開示】
【考案が解決しようとする課題】
【０００３】かつらの使用は秘匿性の難点があった。本考案は、察知の恐怖からの解放を願ったものである。
【課題を解決するための手段】
【０００４】本考案は、帽子感覚で装着可能な為、使用時の秘匿感が希薄となり、限られた場所のみの装脱着からの不便さからも解放されるのである。
【考案の効果】
【０００５】本考案は、かつらの認識よりも、帽子として肯定しうる要素が大なる為、薄毛、禿など気になる人々には福音であり、簡便に使用できる。
【実施例】
【０００６】アイシエード（ｅｙｅｓｈａｄｅ）の鉢巻部分の内側に、かつら部分の植毛ネットを装着、合体したものである。
【図面の簡単な説明】
【０００７】
【図１】本考案の平面図である。
【図２】本考案の側面図である。
【符号の説明】
【０００８】１    アイシエード（ｅｙｅｓｈａｄｅ）の鉢巻部
２    ひさし（ツバ）
３    植毛されたネット
【図１】
0003146479.tif 000003
【図２】
0003146479.tif 000004